(57)【要約】【解決手段】開示される組み合わせマイクロエレクトロニクスコネクターは素早くコネクター要素の組み立てを可能にする。コネクターはインサートとコネクター本体とを含む。インサートは少なくとも一つの電気的要素を受け入れる形状の空洞を有する。インサートはまた，モジュールプラグと電気的要素とを電気的に接続するリード線をもつ。コネクター本体は，正面，背面おび正面と背面を分離する分割壁を有する。コネクター本体の正面は，中にモジュールプラグを受け入れるための空洞を有する。背面はインサートを中に受け入れる空洞を有する。分割壁は，正面にある空洞と，平面にある空洞との間を連通する開口部のセットを有する。インサートのリード線のセットは，分割壁にある開口部のセットを通して，コネクター本体の正面にある空洞内に突き出る形状をもつ。
2004513490.tif 000002
【特許請求の範囲】
【請求項１】
マイクロエレクトロニクスコネクター組立体であって，
少なくとも一つの電気的要素を受け入れる第一の空洞を有するインサートと，
前記少なくとも一つの電気的要素とモジュラープラグとの間に電気的な接続を与えるための形状をもつ，前記インサートから延びる複数のリード線と，
正面，背面および前記正面と前記背面を分離する分割壁を有するコネクター本体と，
を含み，
前記正面はモジュラープラグを中に受け入れるための第二の空洞を有し，前記背面はインサートを受け入れるための第三の空洞を有し，前記分割壁は前記第二の空洞と前記第三の空洞との間を連通するための複数の開口部を有し，複数のリード線は第二の空洞に，複数の開口部を通して突出する形状をもつ，
ところのマイクロエレクトロニクスコネクター組立体。
【請求項２】
第三の空洞は，インサートを中に受け入れる形状のスロットを含む，請求項１に記載のマイクロエレクトロニクスコネクター組立体。
【請求項３】
インサートは，スロットと係合するノッチを含む，請求項２に記載のマイクロエレクトロニクスコネクター組立体。
【請求項４】
第一の空洞はコネクター本体から外に向く開口部をもつ，請求項１に記載のマイクロエレクトロニクスコネクター組立体。
【請求項５】
第一の空洞はコネクター本体に向く開口部をもつ，請求項１に記載のマイクロエレクトロニクスコネクター組立体。
【請求項６】
さらに，インサートから伸長するリード線の第二のセットを含み，
前記リード線の第二のセットは，電気的要素とプリント回路板との間に電気的接続を与える形状をもつ，ところの請求項１に記載のマイクロエレクトロニクスコネクター組立体。
【請求項７】
マイクロエレクトロニクスコネクターを製造する方法であって，
少なくとも一つのモジュラープラグを受け入れる第一の空洞をもつ正面，インサートを受け入れる第二の空洞をもつ背面，および前記正面と前記背面とを分離する分割壁であって，前記第一の空洞と前記第二の空洞との間で，リード線が通過する開口部を有するところの分割壁を有するコネクターを用意する工程と，
複数のリード線および第三の空洞を有するインサートを，第二の空洞に挿入する工程と，
を含み，
前記複数のリード線は，第二の空洞の開口部を通過し，前記第三の空洞は少なくとも一つの電気的要素を受け入れる，
ところの方法。
【請求項８】
インサートはノッチを有し，第二の空洞はスロットを有し，
さらに，インサートを前記第二の空洞内に止め付けるために，第二の空洞のスロットとインサートのノッチとを係合する工程を含む，請求項７に記載の方法。
【請求項９】
インサートの第三の空洞はコネクター本体から外に向く開口部を有する，請求項７に記載の方法。
【請求項１０】
インサートの第三の空洞は，コネクター本体に向く開口部を有する，請求項７の方法。
【請求項１１】
インサートは，電気的要素とプリント回路板との間に，電気的な接続を与える形状をもつ，第二の複数のリード線を有する，請求項７に記載の方法。
【請求項１２】
マイクロエレクトロニクスコネクター組立体であって，
インサートと，コネクター本体とを含み，
前記インサートは，少なくとも一つの電気的要素を受け入れる手段，
前記電気的要素をモジュラープラグに電気的に接続する手段，
を含み，
前記コネクター本体は，モジュラープラグを第一の位置で受け入れる手段，
前記インサートを第一の位置とは異なる第二の位置で受け入れる手段，および
モジュラープラグを受け入れる手段とインサートを受け入れる手段とを分離する手段，
を含み，
前記分離手段は，前記モジュラープラグを受け入れる手段と前記インサートを受け入れる手段との間で，前記電気的な接続手段を通過させる手段を含む，
ところのマイクロエレクトロニクスコネクター組立体。
【請求項１３】
前記インサートを受け入れる手段は，インサートを中に保持する形状をもつスロットからなる，請求項１２に記載のマイクロエレクトロニクスコネクター組立体。
【請求項１４】
インサートはスロットと係合するノッチを有する，請求項１３に記載のマイクロエレクトロニクスコネクター組立体。
【請求項１５】
少なくとも一つの電気的要素を受け入れる手段は，コネクター本体から外に向く開口部を有する，請求項１２に記載のマイクロエレクトロニクスコネクター組立体。
【請求項１６】
少なくとも一つの電気的要素を受け入れる手段は，コネクター本体に向く開口部を有する，請求項１２に記載のマイクロエレクトロニクスコネクター組立体。
【請求項１７】
インサートはさらに，電気的要素をプリント回路板に電気的に接続する手段を含む，請求項１２に記載のマイクロエレクトロニクスコネクター組立体。
【請求項１８】
マイクロエレクトロニクスコネクター組立体であって，
少なくとも一つの電気的要素を受け入れる形状の第一の空洞を有するインサートと，
正面，背面，および前記正面と前記背面とを分離する分割壁を有するコネクター本体と，
を含み，
前記正面はモジュラープラグを中に受け入れる第二の空洞を有し，背面はインサートを受け入れる第三の空洞を有し，前記分割壁は前記第二の空洞と前記第三とを連通する複数の開口部を有する，ところのマイクロエレクトロニクスコネクター組立体。
【請求項１９】
前記開口部は前記第二の空洞と前記第三の空洞との間で，リード線を通過させる，請求項１８に記載のマイクロエレクトロニクスコネクター組立体。
【請求項２０】
第三の空洞はインサートを中に維持する形状のスロットを有する，請求項１８に記載のマイクロエレクトロニクスコネクター組立体。
【請求項２１】
インサートはスロットに係合するノッチを含む，請求項２０に記載のマイクロエレクトロニクスコネクター組立体。
【請求項２２】
第一の空洞はコネクター本体から外に向く開口部を有する，請求項１８に記載のマイクロエレクトロニクスコネクター組立体。
【請求項２３】
第一の空洞はコネクター本体に向く開口部を有する，請求項１８に記載のマイクロエレクトロニクスコネクター組立体。
【請求項２４】
マイクロエレクトロニクスコネクター組立体であって，
少なくとも一つの電気的要素を受け入れる第一の空洞，
前記第一の空洞を覆う複数の外壁，
前記外壁の少なくとも一つ上の複数のノッチ，
前記少なくとも一つの電気的要素とモジュラープラグとの間に電気的な接続を与える形状をもつ，前記インサートから伸長する複数のリード線，
を有するインサートと，
モジュラープラグを中に受け入れる第二の空洞を有する正面部，
インサートを受け入れるための第三の空洞と，該第三の空洞に前記インサートを止め付けるために，前記第一の空洞を覆う前記外壁上の突出部と係合する形状をもつ複数のスロットとを有する背面部，および
前記正面部を前記背面部から分離し，前記第二の空洞と前記第三の空洞との間を連通する複数の開口部を有する分割壁
を有するコネクター本体と，
を含み，
前記リード線は開口部を通過して第二の空洞に突出する形状をもつ，
ところのマイクロエレクトロニクスコネクター組立体。
【請求項２５】
第一の空洞は，コネクター本体の外に向く開口部を有する，請求項２４に記載のマイクロエレクトロニクスコネクター組立体。
【請求項２６】
第一の空洞は，コネクター本体に向く開口部を有する，請求項２４に記載のマイクロエレクトロニクスコネクター組立体。
【請求項２７】
さらに，インサートから伸長する第二の複数のリード線を含み，
前記第二の複数のリード線は電気的要素とプリント回路板との間に電気的な接続を与える形状をもつ，請求項２４に記載のマイクロエレクトロニクスコネクター組立体。
【発明の詳細な説明】
【０００１】
発明の分野
本発明は一般的に，プリント回路板および他のマイクロエレクトロニクス分野において使用される電気的コネクターを小型化することに関し，特に改良されたモジュール性をもつマイクロエレクトロニクスコネクターおよびその製造方法に関する。
【０００２】
関連技術の説明
既存のマイクロエレクトロニクスコネクター（ＲＪ４５またはＲＪ１１タイプといったもの）は，信号電圧変換または雑音抑制などの，種々の信号調整機能を与えるために，磁気的素子または他の電気的要素を組み込む。一般的なコネクターの設計において，磁気的素子または要素パッケージは，続いて，コネクターの他の要素内に挿入またはその要素と組み合う別のデバイスとして作られる。たとえば，米国特許第５，６４７，７６７号（“信号伝送のための電気的コネクタージャック組立体”（‘７６７号特許という）），および米国特許第５，５８７，８８４号（“エンキャプシュレーテッド信号調整要素をもつ電気的コネクタージャック”（‘８８４号特許という））を参照。米国特許第５，１７８，５６３号（“接触組み立ておよびその製造方法”）に説明された，関連設計は，‘７６７号特許および‘８８４号の多重要素構成を採用はしているが，電気的な要素を説明していない。前記の各設計に共通することは，モジュラープラグ接触子と電気的要素（またはコネクターのリード線）とを接続する電気的リード線を絶縁し，分離する，別個のリード絶縁体または“キャリア”を使用することである。この一般的なリードキャリア構成は図１ａに示されている。
【０００３】
上記した機能に加え，図１ｂに示されているように，リードキャリア１１０はまは，挿入したときに，リード線１２０に対して，機械的な支点のように機能する。特に，リード線の先端部１１５は，モジュラープラグ１３０がコネクター本体１００内に挿入されたときにモジュラープラグ１３０の接触子と係合し，これにより，リード線１２０はプラグ１３０の上方でそしてそこから離れるように曲がる。プラグ１３０は図１ｂに示されているように，プラグの下側にラッチ１３１（ラッチダウン構成と参照する）をもつ。キャリア１１０は，リード線１２０をモジュラープラグ１３０上の各接触子と係合し，これにより，コネクターの信頼性が増す。このことは，コネクター本体１００内でのプラグ１３０の相対移動中または挿入／除去という負荷サイクルの後に，特にそうである。
【０００４】
上記の機能を与える一方で，リードキャリア１１０の使用はいくつかの欠点をもつ。特に，リードキャリア１１０を成形し，検査することに関連して労力および材料が増加することは，最終製品のコストを著しく増すことになる。さらに，コネクター本体（“スリーブ”）１００はキャリア１１０を収納するための器具を必要とし，さらにコスト増をもたらす。キャリアの挿入後，リード線１２０の先端部は最終位置へと曲げられなければならない。このことは他のプロセス工程を付加し，コネクター本体１００からのリード線１２０およびキャリア１１０の連続した除去を不可能にする。また，キャリア１１０は，コネクター本体１００から，要素パッケージ１４０（およびキャリア１１０）の分離に何らバイアスや抵抗を与えず，そのため，これらの要素をしっかりと接続するための接着剤または他の手段が必要となる。
【０００５】
既存のマイクロエレクトロニクスコネクターが，たとえばプリント回路ボードに挿入されると，要素パッケージ１４０の取り外しは，コネクター全体の除去，取り外しを必要とする。さらに，機械的な安定性および確実な電気的な接続を与えるために，リード線の一つのセットが典型的に，回路板に半田付けされる。したがって，コネクターおよび取り付けられた要素パッケージ１４０の除去を困難にする。
【０００６】
したがって，より単純でより信頼性のあるコネクターを生産し，より経済的な製造を容易にする，改良されたマイクロエレクトロニクスコネクターの設計を提供することが望ましい。このようなコネクターの設計は，別個のリードキャリアの使用や接合接着剤を避け，これにより製造プロセスを単純化し，デバイスのコストを軽減する。改良されたコネクターはまた，一層の製造コストの軽減を図るために，単純化され，コンパクトな取り付けシステムを利用する。さらに，改良されたコネクターは単純な要素の取り外しを行うことができる。
【０００７】
発明の要約
本発明は，改良されたマイクロエレクトロニクスコネクターおよびその製造方法を提供することにより，上記ニーズを満足させる。
【０００８】
本発明の一態様にしたがい，マイクロエレクトロニクスコネクター組立体は，少なくとも一つの電気的要素を受け入れる形状となった第一の空洞をもつインサート，該インサートから伸長したリード線のセット（リード線のセットは，電気的な要素とモジュラープラグとの間に電気的な接続を与えるための形状をもつ），および正面，背面および正面と背面を分離する分割壁を有するコネクター本体（正面はモジュラープラグを中に受け入れる第二の空洞をもち，背面はインサートを受け入れるための第三の空洞をもち，分割壁は第二の空洞と第三の空洞との間を連通する開口部のセットをもち，リード線は開口部のセットを通して第二の空洞内に突出する形状をもつ）を含む。
【０００９】
本発明の他の態様にしたがい，マイクロエレクトロニクスコネクターの製造方法は，モジュラープラグを受け入れる第一の空洞をもつ正面，インサートを受け入れる第二の空洞をもつ第二の空洞をもつ背面，および正面と背面を分離する分割壁を有するコネクター本体（分割壁はリード線が第一の空洞と第二の空洞との間を通過することができる開口部をもつ）を用意し，インサートを第二の空洞に挿入すること（インサートはリード線のセットおよび第三の空洞を有し，リード線のセットは開口部を通過し，第二の空洞に至り，第三の空洞は少なくとも一つの電気的要素を受け入れる）を含む。
【００１０】
本発明の他の態様にしたがい，マイクロエレクトロニクスコネクター組立体は，インサート（インサートは，少なくとも一つの電気的要素を受け入れる手段および電気的要素とモジュラープラグとを電気的に接続する手段を含む）とコネクター本体（コネクター本体は，モジュラープラグを第一の位置で受け入れる手段，インサートを，第一の位置とは異なる第二の位置で受け入れる手段，およびモジュラープラグを受け入れる手段と，インサートを受け入れる手段とを分離する手段を含む。その分離手段は，モジュラープラグを受け入れる手段とインサートを受け入れる手段との間に，電気的に接続する手段を通過させる手段を含む）とを含む。
【００１１】
本発明の他の態様にしたがい，マイクロエレクトロニクスコネクター組立体は，少なくとも一つの電気的要素を受け入れる形状をもつ第一の空洞，および正面，背面，および正面と背面とを分離する分割壁を有するコネクター本体を含み，正面はモジュラープラグを中に受け入れる第二の空洞を有し，背面はインサートを受け入れる第三の空洞を有し，分割壁は第二の空洞と第三の空洞との間を連通する開口部のセットを有する。
【００１２】
発明の詳細な説明
図において，同じ要素には同じ符号が付されている。
図２Ａ，図２Ｂおよび図３は本発明のコネクター本体２００の第一の実施例を示す。まず，図２Ａに示されているように，コネクターは一体構造で作られた本体２００を含む。コネクター本体２００は他の材料およびプロセスで置き換えることができるが，理想的には，従来より周知のタイプの，射出成形プロセスを使用して，ナイロン（登録商標）のような非伝導性材料から作られる。コネクター本体２００は頂部壁２２０および側壁２３０（側壁は頂部壁の面に垂直な面で，頂部壁２２０の反対側に伸長する）をもつ。分離壁２４０がコネクター本体２００の背面とその正面２１０とを分離する。分離壁２４０は側壁２３０の面に垂直な面で，頂部壁２２０から下方に延びる。正面２１０は中にモジュールプラグ（図示せず）を収納するための空洞２６０を有する。空洞２６０は分離壁２４０で終了する。背面２５０はまた，分離壁２４０で終わる空洞２８０（図２Ａには示されていない）を有する。
【００１３】
分離壁２４０は垂直な開口部２７０のセットを有する。セットになった開口部２７０の数はモジュールプラグと接触するために与えられるリード線の数に対応する。分離壁２４０の開口部２７０は分離壁２４０が頂部壁２２０にぶつかるところの線で始まり，分離壁２４０にそって下方に延びる。開口部２７０はコネクター本体２００の背面２５０にある空洞２８０と，コネクター本体２００の正面２１０にある空洞２６０との間を連通する。
【００１４】
図２Ｂに示されているように，背面２５０にある空洞２８０は側壁２８２をもつが，その側壁２８２はその内面にそって画成されるラッチングスロット２８２をもつ。ラッチングスロット２８４は，空洞２８０の内面２８２の後端から，ラッチングポイント（図３を参照）へと内側に延びる。ラッチングスロット２８４は，頂部壁２２０と側壁２３０とがぶつかるところの線に平行な向きに延びるが，ラッチングポイント２８５は側壁２３０から突出し，ラッチングスロット２８４に垂直に延びる。
【００１５】
コネクター本体２００の背面２５０にある空洞２８０はインサートを受け入れる。図４および図５はインサート４００の一実施例を示す。インサート４００は信号電圧変換または雑音抑制のようないろいろな機能を与えるために，磁気的要素または要素パッケージ（図示せず）を収納するための空洞４１０を含む。一つ以上の電気的要素が要素パッケージと一体となってもよい。
【００１６】
本発明に関し，“電気的要素”という用語は，限定的ではないが，（ｉ）抵抗，コンデンサー，およびインダクタのような分離した要素，（ｉｉ）（チョークコイルおよびトランスのような）電磁気デバイス，ならびに（ｉｉｉ）半導体デバイスを含むことに留意されたい。
【００１７】
図４および図５に図示の実施例において，インサート４００は実施的に矩形のボックスのような形状をもつ。図４に示されているように，インサート４００の背面４２０が空洞４１０の外輪を画成する。正面４９０（図５を参照）が矩形の壁のように形成され，背面４２０と向かい合う。正面４９０は背面４２０の面と実質的に平行な面にある。インサート４００はまた，頂部面４６０および反対側の底部面４７０を有し，それぞれの面は側壁４３０および背面４２０に垂直で，背面４２０から延びている。インサート４００はまた，頂部面４６０および底部面４７０からそれぞれ延びる電気的リード線の第一のセット４４０および第二のセット４５０を含む。
【００１８】
二つの側面４３０は正面４９０および背面４２０へと延び，正面４９０および背面４２０の面に実質的に垂直な面にある。各側面４３０は側面４３０および背面４２０の交差する付近の位置に突出部４３２をもつ。突出部４３２は，その交差付近の側面４３０から出っ張り，その交差付近から側面４３０と一体となるように傾斜し，ラッチングスロット２８４（図２Ｂに示されている）内に挿入でき，コネクター本体２００のラッチングポイント（図３に示されている）と係合する形状をもつ。したがって，インサート４００は，たとえば，インサート４００の突出部４３２とコネクター本体２００の対応するラッチングポイント２８５とが連結することにより，コネクター本体２００の背面２５０にある空洞２８０（図３に示されている）に確実に止め付けることができる。
【００１９】
第一の端部４４２および第二の端部４４４をもつリード線の第一のセットは，たとえば，図２Ａおよび図３に示されているコネクター本体の正面２１０にある空洞２６０内で，モジュラープラグと接触することができる。リード線４４０の第一の端部４４２近くにある第一のセットの部分４４６が，たとえば，リード線の周りにインサート４００を成形することにより，インサート４００の頂部面４６０内に完全に埋め込まれている。リード線４４０の第一のセットの第一の端部４４２は空洞４１０の開口部の第一の縁４２２にそって背面４２０から突出している。これに代えて，図４および図５に示されているように，好適には，部分４４６は空洞４１０の上壁４１２から部分的に露出してもよい。リード線４４０の第一のセットは，インサート４４０の頂部面４６０から上に延びている。リード線４４０は，そのリード線にそって，ほぼ９０度曲がり，第一の曲がり部４４１を形成し，リード線４４０はインサート４００の頂部面４６０とほぼ平行となり，インサート４００の正面４９０の面へと水平に伸長する。第一の部分４４４と第一の曲がり部４４１との間の位置で，リード線４４０は，第二の曲がり部４４３を形成するために，再度ほぼ１５０度曲がる。
【００２０】
第一の端部４５２および第二の端部４５４をもつリード線の第二のセットは，たとえば，プリント回路板と電気的に接触できるようになる。この接触のために，リード線４５０の第二のセットの，第一の端部４５２近くの部分４５６が，たとえば，リード線の周りにインサート４００を成形することにより，インサート４００の底面４７０内に完全に埋め込まれている。リード線４５０の第二のセットの第一の端部４５２は，空洞４２０の開口部の第二の縁４２４にそって，背面４２０から突出している。これに代えて，図５に示されているように，好適には，部分４５６は空洞４１０の下壁４１４から部分的に露出してもよい。リード線４５０の第二のセットは，インサート４００の底部面４７０から下に延びている。リード線４５０は，たとえば，プリント回路板と接触できるように，必要な向きに曲げてもよい。
【００２１】
図６はコネクター本体２００内へのインサート４００の挿入を示す。インサート４００はコネクター本体２００の背面２５０にある空洞２８０へと滑入する。空洞２８０は，インサート４００の形そのものを収納できる形となっている。インサート４００の側壁４３０の突出部４３２は，コネクター本体２００の背面２５０にある空洞２８０の側面２８２のラッチングスロット２８４へと滑入する。インサート４００の，リード線４４０の第一のセットは，コネクター本体２００の正面２１０にある空洞２６０にある開口部２７０のセット（図２Ａを参照）を通る。したがって，リード線４４０は正面２１０にある空洞２６０に挿入されるモジュラープラグと接触する位置まで延びる。インサート４００が空洞２８０に完全に挿入されると，インサート４００の突出部４３２は，突出部４３２とラッチングポイント２８５（図３）との連結により，ラッチングポイント２８５と係合する。インサート４００はこれにより，コネクター本体２００に確実に取り付けられる。
【００２２】
インサート４００の空洞４１０は電気的要素（図示せず）を中に収納することができる。電気的要素は，コネクター本体２００へのインサート４００の挿入の前後のいずれでも，空洞４１０へ挿入することができる。電気的要素はリード線４４０の第一のセットおよびインサート４００のリード線４５０の第二のセットと接する。この接触は，リード線４４０，４５０の第一の端部４４２，４５２，または空洞４１０の上壁４１２および下壁４１４から部分的に突出した，リード線４４０，４５２の部分４４６，４５６（図４および図５に示されている）とである。電気的要素は，非伝導性の接着剤または機械的なラッチを使用することで，空洞４１に止め付けてもよい。接着剤は，電気的用を，リード線４４０，４５０の第一および第二のセットに，確実で恒久的な接続を可能にする。機械的なラッチは，電気的要素を容易に着脱することができる。
【００２３】
図４ないし図６に示されたインサート４００の実施例は，インサート４００がコネクター本体２００へと挿入されると，組立体の背面に開口部をもつ空洞４１０を有することになる。図７は，インサート４００の空洞４１０が前に開口部をもつ，本発明の他のインサート４００の他の実施例を示す。この構成では，電気的要素（図示せず）の挿入は，空洞４１０への接近が挿入後ではできないことから，コネクター本体２００へのインサート４０の挿入前に行わなければならない。
【００２４】
インサート４００は，コネクター本体２００（図６および図７に示されているように）に挿入されても，容易に取り外すことことができる。上述したように，インサート４００は，突出部４３２がラッチングポイント２８５に連結されると，コネクター本体２００に取り付けられる。この連結係合は恒久的なものではない。インサートを外すためには，突出部４３２を，平坦で小さな道具により内側に押し付け，これにより突出部４３２はラッチングポイント２８５から外れる。インサート４００は，突出部４３２がラッチングポイント２８５から外れるまで突出部４３２を押さえ続けると，コネクター本体２００から外れ，インサート４００はコネクター本体２００の空洞２８０から完全に取り外すことができる。
【００２５】
したがって，本発明は単純な製造および組み立てを行える信頼性のあるマイクロエレクトロニクスコネクターを提供できる。本発明にしたがって，コネクターは電気的要素の簡単な取り外しを行え，コネクターの要素のモジュール化を高める。
【００２６】
上記説明は，種々の実施例への適用により，本発明の新規な特徴を示し，説明し，指摘しているが，図示したデバイスの詳細および形態において種々の削除，置き換えおよび変化が本発明の思想から逸脱することなく，当業者によりなし得ることは理解されよう。
【図面の簡単な説明】
【図１】
図１ａはリードキャリア組立体を利用する，従来の電気的要素コネクターの分解斜視図であり，図１ｂは，リード線，プラグ接触子，リードキャリアの相対関係を示す，モジュラープラグが挿入された，図１ａの従来のコネクターの断面図である。
【図２Ａ】
図２Ａは，本発明にしたがったコネクター本体の一実施例の前方からの斜視図である。
【図２Ｂ】
図２Ｂは，図２Ａのコネクター本体の後方からの斜視図である。
【図３】
図３は，図２Ａの線３‐３にそった，図２Ａおよび図２Ｂのコネクター本体の断面図である。
【図４】
図４は，本発明にしたがったインサートの斜視図である。
【図５】
図５は，図４の線５−５にそった，図４のインサートの縦断面図である。
【図６】
図６は，図４および図５のインサートと図２Ａ，図２Ｂおよび図３のコネクターとの配置を示す斜視図である。
【図７】
図７は，本発明の他の実施例にしたがったマイクロエレクトロニクスコネクターの断面図である。
【図１】
2004513490.tif 000003
【図２Ａ】
2004513490.tif 000004
【図２Ｂ】
2004513490.tif 000005
【図３】
2004513490.tif 000006
【図４】
2004513490.tif 000007
【図５】
2004513490.tif 000008
【図６】
2004513490.tif 000009
【図７】
2004513490.tif 000010
【国際公開パンフレット】
2004513490.tif 000011
2004513490.tif 000012
2004513490.tif 000013
2004513490.tif 000014
2004513490.tif 000015
2004513490.tif 000016
2004513490.tif 000017
2004513490.tif 000018
2004513490.tif 000019
2004513490.tif 000020
2004513490.tif 000021
2004513490.tif 000022
2004513490.tif 000023
2004513490.tif 000024
2004513490.tif 000025
2004513490.tif 000026
2004513490.tif 000027
2004513490.tif 000028
【国際公開パンフレット（コレクトバージョン）】
2004513490.tif 000029
2004513490.tif 000030
【手続補正書】
【提出日】平成14年7月31日(2002.7.31)
【手続補正１】
【補正対象書類名】明細書
【補正対象項目名】特許請求の範囲
【補正方法】変更
【補正の内容】
【特許請求の範囲】
【請求項１】
マイクロエレクトロニクスコネクター組立体であって，
第一の面（４６０）および第二の面（４７０）を有するインサート（４００）と，正面（２１０），背面（２５０），および前記正面を前記背面から分離する分割壁（２４０）を有するコネクター本体（２００）と，第一の面に埋め込まれた第一の端部（４４２）を有する複数の第一のリード線（４４０）と，第二の面に埋め込まれた第一の端部（４５２）を有する複数の第二のリード線とを含み，
第一の面および第二の面は前記インサート内で第一の空洞（４１０）を画成し，前記第一の空洞は少なくとも一つの電気的要素を受け入れる形状をもち，
前記正面はモジュラープラグを中に受け入れる第二の空洞（２６０）を有し，前記背面はインサートを受け入れる第三の空洞（２８０）を有し，前記分割壁は前記第二の空洞と前記第三の空洞との間を連通する複数の開口部（２７０）を有し，
第一のリード線の第一の端部の一部が，第一の空洞に受け入れられた電気的要素と電気的接続をなすように，第一の空洞に露出し，複数の第一のリード線はさらに前記インサートから延びる第二の端部（４４４）を有し，複数の第一のリード線の前記第二の端部は，中でモジュラープラグと電気的接続をなすために，複数の開口部を通って第二の空洞に突出する形状をもち，
第二のリード線の第一の端部の一部が，第一の空洞に受け入れられた電気的要素と電気的接続をなすように，第一の空洞に露出し，複数の第二のリード線はさらに前記インサートから延び，プリント回路板と電気的接続をなすための形状をもつ，
ところのマイクロエレクトロニクスコネクター組立体。
【請求項２】
第三の空洞は，中にインサートを取り外し可能に受け入れる形状をもつスロット（２８４）を含む，請求項１に記載のマイクロエレクトロニクスコネクター組立体。
【請求項３】
インサートはスロットと係合する突出部（４３２）を有する，請求項２に記載のマイクロエレクトロニクスコネクター組立体。
【請求項４】
第一の空洞は，コネクター本体から外に向く開口を有する，請求項１に記載のマイクロエレクトロニクスコネクター組立体。
【請求項５】
第一の空洞は，コネクター本体に向く開口を有する，請求項１に記載のマイクロエレクトロニクスコネクター組立体。
【請求項６】
さらに，少なくとも電気的要素をもち，第一の空洞に受け入れられる形状をもつ電気的要素パッケージを含む，請求項１に記載のマイクロエレクトロニクスコネクター組立体。
【請求項７】
マイクロエレクトロニクスコネクター組立体を製造する方法であって，
少なくとも一つの電気的要素を受け入れる第一の空洞を画成する第一の面および第二の面を有するインサートを用意する工程と，
少なくとも一つのモジュラープラグを受け入れる第二の空洞を有する正面，インサートを受け入れる第三の空洞を有する背面，および前記正面と前記背面とを分離し，前記第二の空洞と前記第三の空洞との間に，リード線を通過させる開口部を有する分離壁を含むコネクター本体を用意する工程と，
複数の第一のリード線をインサートの第一の面内に，その第一のリード線の第一の端部の一部が第一の空洞に露出して，第一のリード線が第一の空洞内に受け入れられた電気的要素と電気的接続をなす形状をもつように，埋め込む工程と，
複数の第二のリード線をインサートの第二の面内に，その第二のリード線の第一の端部の一部が第一の空洞に露出して，第一の空洞内に受け入れられた電気的要素と電気的接続をなすように，埋め込む工程と，
インサートを第三の空洞に，複数の第一のリード線の第二の端部が，モジュラープラグと電気的接続をなすために，インサートから開口部を通過して第二の空洞に延びるように，挿入する工程と，
を含み，
複数の第一のリード線の第二の端部が前記インサートから，開口部を通過して第二の空洞に延び，
複数の第二のリード線の第二の端部が前記インサートから延び，さらにプリント回路板と電気的接続をなす形状をもち，
複数の第二のリード線の第二の端部がプリント回路板と電気的接続をなすために前記インサートから延びる，
ところの製造方法。
【請求項８】
インサートはノッチを有し，第二の空洞はスロットを備え，
当該方法は，さらに，
インサートを第三の空洞に止め付けるために，インサートのノッチを第二の空洞のスロットに係合する工程を含む，請求項７に記載の製造方法。
【請求項９】
インサートの第一の空洞は，コネクター本体から外に向く開口を有する，請求項７に記載の製造方法。
【請求項１０】
インサートの第一の空洞は，コネクター本体に向く開口を有する，請求項７に記載の製造方法。
【請求項１１】
さらに，電気的要素が第一および第二のリード線と接触するように，第一の空洞に，電気的要素を挿入する工程を含む，請求項７に記載の製造方法。
【国際調査報告】
2004513490.tif 000031
2004513490.tif 000032